【手続補正書】
【提出日】平成30年3月26日(2018.3.26)
【手続補正１】
【補正対象書類名】明細書
【補正対象項目名】００３３
【補正方法】変更
【補正の内容】
【００３３】
本明細書に記述される実施形態は、柔軟性及び／または剛性に必要な技術的要件を満た
しながら、複雑な形状の眼科手術用器具の製造を手助けする装置、システム、及び方法を
提供できる。本明細書に記述される装置、システム、及び方法は、あらゆる手術用器具に
用いることができる。前述の実施例は、単に模範的なものであり、これに制限されるもの
ではない。本開示の範囲内にあることを意図する、開示の実施形態と一致する他のシステ
ムを当業者は進んで考案してもよい。従って、本出願は、以下の特許請求の範囲によって
のみ制限される。
本開示は以下を含む。
〔例１〕
器具チップの内部構造を定義する第１内部フレームを製造することと、前記器具チップの外面を定義するために前記第１内部フレームの少なくとも一部を第１コーティングで覆うことと、近位端及び遠位端を有する器具本体を製造することで前記器具チップの近位端が前記器具本体の前記遠位端に配置されることを含む、手術装置の製造方法。
〔例２〕
前記第１内部フレームの製造が、第１素材の成形、鋳造、機械加工、及び切削のうち少なくとも１つを含む、例１に記載の方法。
〔例３〕
前記第１素材が、金属、合金、セラミック、合成物、ポリマー、プラスチック、及びエラストマーのうちの少なくとも１つである、例２に記載の方法。
〔例４〕
前記第１内部フレームを第１コーティングで覆うことが、前記第１内部フレームを金属、合金、セラミック、合成物、ポリマー、プラスチック、及びエラストマーのうち少なくとも１つで覆うための射出成形を含む、例１に記載の方法。
〔例５〕
器具本体の製造が、前記第１コーティングを用いて前記器具本体を定義することを含む、例４に記載の方法。
〔例６〕
前記第１内部フレームを前記第１コーティングで覆うことが、前記第１コーティングを用いて前記器具本体を定義するのと同時に起こる、例５に記載の方法。
〔例７〕
前記器具チップの前記近位端及び前記器具本体の前記遠位端を係合することをさらに含む、例１に記載の前記方法。
〔例８〕
前記第１内部フレームを製造することが、近位端、遠位端、直線状第１部分、及び前記第１部分から斜めに延びる円弧状第２部分を有する前記第１内部フレームを製造することを含む、例１に記載の方法。
〔例９〕
前記第１内部フレームの少なくとも一部を第１コーティングで覆うことが、前記遠位端及び前記円弧状第２部分を前記第１コーティングで覆うことを含む、例８に記載の方法。
〔例１０〕
前記第１内部フレームを第１コーティングで覆うことが、前記器具チップの遠位端で平面部を定義することを含む、例８に記載の方法。
〔例１１〕
前記第１内部フレームを第１コーティングで覆うことが、前記器具本体の縦軸に垂直な平面内で前記第１内部フレーム及び前記第１コーティングの断面形状に異なる形状を定義することを含む、例１に記載の方法。
〔例１２〕
近位端、遠位端、及び縦軸を有する器具本体と、前記器具本体の前記遠位端に配置され、前記器具本体の縦軸に沿って直線的に延びる第１部分及び前記第１部分から斜めに延びる円弧状の第２部分を含む器具チップと、を含む眼科手術用器具であり、前記器具チップが第１内部フレーム及び前記第１内部フレームを覆う第１コーティングを含む、眼科手術用器具。
〔例１３〕
前記第１コーティングが、前記器具チップの外面を定義する、例１２に記載の眼科手術用器具。
〔例１４〕
前記器具本体の前記縦軸に対して垂直な平面内での前記第１内部フレーム及び前記第１コーティングの断面形状が異なる形状を定義する、例１２に記載の眼科手術用器具。
〔例１５〕
前記器具チップが、遠位端で平面部を含む、例１２に記載の眼科手術用器具。
〔例１６〕
前記器具本体が、前記第１コーティングを含む、例１２に記載の眼科手術用器具。
〔例１７〕
前記器具本体が、第２内部フレーム及び前記第２内部フレームを覆う第２コーティングを含む、例１２に記載の眼科手術用器具。
〔例１８〕
前記第１内部フレーム及び第２フレームが一体型の構成要素である、例１７に記載の眼科手術用器具。
〔例１９〕
前記第１及び第２内部フレーム、並びに前記第１及び第２コーティングが、金属、合金、セラミック、合成物、ポリマー、プラスチック、及びエラストマーのうち少なくとも１つを含む、例１７に記載の眼科手術用器具。
〔例２０〕
遠位端、直線状第１部分、前記第１部分から斜めに延びる円弧状第２部分、及び前記遠位端における平面部を有する器具チップの内部構造を定義する内部フレームを製造することと、コーティングを用いて、縦軸及び表面特徴を含む器具本体の外面を有する前記器具本体を製造することと、前記器具チップの外面を定義するために、前記器具本体の生成と同時に前記内部フレームを前記コーティングで覆うことと、を含む眼科手術用装置の製造方法であって、前記器具本体の前記縦軸に対して垂直な平面内での前記内部フレーム及びコーティングの断面形状は、前記縦軸の少なくとも一部に沿って異なる形状を定義する、方法。
【手続補正２】
【補正対象書類名】特許請求の範囲
【補正対象項目名】全文
【補正方法】変更
【補正の内容】
【特許請求の範囲】
【請求項１】
器具チップの内部構造を定義する第１内部フレームを製造することと、
前記器具チップの外面を定義するために前記第１内部フレームの少なくとも一部を第１コーティングで覆うことと、
近位端及び遠位端を含む器具本体を製造することで前記器具チップの近位端が前記器具本体の前記遠位端に配置されることを含み、
前記器具本体はさらに、
前記第１内部フレームから分離していて前記第１内部フレームと一体とされていない第2内部フレームと、
前記第2内部フレームを覆う第2コーティングとを含み、
前記器具チップは、第1構成要素を有し、
前記器具本体は、前記第1構成要素から分離している第2構成要素を含む、
手術装置の製造方法。
【請求項２】
前記第１内部フレームの製造が、第１素材の成形、鋳造、機械加工、及び切削のうち少なくとも１つを含む、請求項１に記載の方法。
【請求項３】
前記第１素材が、金属、合金、セラミック、合成物、ポリマー、プラスチック、及びエラストマーのうちの少なくとも１つである、請求項２に記載の方法。
【請求項４】
前記第１内部フレームを第１コーティングで覆うことが、前記第１内部フレームを金属、合金、セラミック、合成物、ポリマー、プラスチック、及びエラストマーのうち少なくとも１つで覆うための射出成形を含む、請求項１に記載の方法。
【請求項５】
器具本体の製造が、前記第2コーティングを用いて前記器具本体の外面を定義することをさらに含む、請求項１に記載の方法。
【請求項６】
前記器具チップの前記近位端及び前記器具本体の前記遠位端を係合することをさらに含む、請求項１に記載の前記方法。
【請求項７】
前記第１内部フレームを製造することが、近位端、遠位端、直線状第１部分、及び前記第１部分から斜めに延びる円弧状第２部分を有する前記第１内部フレームを製造することを含む、請求項１に記載の方法。
【請求項８】
前記第１内部フレームの少なくとも一部を第１コーティングで覆うことが、前記遠位端及び前記円弧状第２部分を前記第１コーティングで覆うことを含む、請求項７に記載の方法。
【請求項９】
前記第１内部フレームを第１コーティングで覆うことが、前記器具チップの遠位端で平面部を定義することを含む、請求項７に記載の方法。
【請求項１０】
前記第１内部フレームを第１コーティングで覆うことが、前記器具本体の縦軸に垂直な平面内で前記第１内部フレーム及び前記第１コーティングの断面形状に異なる形状を定義することを含む、請求項１に記載の方法。
【請求項１１】
近位端、遠位端、及び縦軸を有する器具本体と、前記器具本体の前記遠位端に配置され、前記器具本体の縦軸に沿って直線的に延びる第１部分及び前記第１部分から斜めに延びる円弧状の第２部分を含む器具チップと、を含む眼科手術用器具であり、
前記器具チップが第１内部フレーム及び前記第１内部フレームを覆う第１コーティングを含み、
前記器具本体は、
前記第１内部フレームから分離していて前記第１内部フレームと一体とされていない第2内部フレームと、
前記第2内部フレームを覆う第2コーティングとを含み、
前記器具チップは、第1構成要素を有し、
前記器具本体は、前記第1構成要素から分離している第2構成要素を含む、
眼科手術用器具。
【請求項１２】
前記第１コーティングが、前記器具チップの外面を定義する、請求項１１に記載の眼科手術用器具。
【請求項１３】
前記器具本体の前記縦軸に対して垂直な平面内での前記第１内部フレーム及び前記第１コーティングの断面形状が異なる形状を定義する、請求項１１に記載の眼科手術用器具。
【請求項１４】
前記器具チップが、遠位端で平面部を含む、請求項１１に記載の眼科手術用器具。
【請求項１５】
前記器具本体が、前記第１コーティングを含む、請求項１１に記載の眼科手術用器具。
【請求項１６】
前記第１及び第２内部フレーム、並びに前記第１及び第２コーティングが、金属、合金、セラミック、合成物、ポリマー、プラスチック、及びエラストマーのうち少なくとも１つを含む、請求項１１に記載の眼科手術用器具。
【請求項１７】
遠位端、直線状第１部分、前記第１部分から斜めに延びる円弧状第２部分、及び前記遠位端における平面部を有する器具チップの内部構造を定義する第1内部フレームを製造することと、
器具本体であって、前記第１内部フレームから分離していて前記第１内部フレームと一体とされていない第2内部フレームと、縦軸とを含む器具本体を製造することと、
前記器具チップの外面を定義するために、前記第１内部フレームを第１コーティングで覆うことと、
前記器具本体の外面を定義するために、第2コーティングで前記第2内部フレームを覆うこととを含む眼科手術用装置の製造方法であって、前記器具本体の前記縦軸に対して垂直な平面内での前記第１内部フレーム及びコーティングの断面形状は、前記縦軸の少なくとも一部に沿って異なる形状を定義する、方法。
【請求項１８】
前記第1内部フレームは、前記第1コーティングに対して透過性のある空間を含む、請求項１１に記載の眼科手術用器具。